(57)【特許請求の範囲】
【請求項１】
ＩＣカードを案内するガイド部の奥にコネクタ部が配されたコネクタ筐体と、該ガイド部に沿うように該コネクタ筐体に配設されるエジェクト操作ロッド完成体と、該エジェクト操作ロッド完成体の押圧でＩＣカードをコネクタ部から引き抜くエジェクト機構とを含んでなり、
該エジェクト操作ロッド完成体は、該エジェクト操作ロッド完成体を構成するエジェクト操作ロッドの押圧操作先端にロック釦を備え、
該ロック釦は、エジェクト操作ロッドに対する直線方向と該ガイド部外側への直角方向との間で回動可能で且つ該直線方向に常時弾力付勢されていると共に、該エジェクト操作ロッドに対して該直角方向に往復動可能に構成され、
該直角方向に位置する該ロック釦の該ガイド部外側への移動で該ロック釦が固定できるように構成されていることを特徴とするＩＣカードコネクタ。
【請求項２】
請求項１記載のロック釦を該直線方向に常時弾力付勢する手段が、  捲回部の両端を互いに逆方向に延伸させた保持ばねと、該エジェクト操作ロッドの該ロック釦支持軸近傍に設けられて該保持ばねの一端を位置決めするばね係止穴と、該ロック釦の回動中心近傍に設けられて該保持ばねの他端を位置決めするばね係止穴とからなることを特徴とするＩＣカードコネクタ。
【請求項３】
請求項１記載のロック釦の固定手段が、
該ロック釦の該移動方向の正面壁に突出して設けたフランジと、該コネクタ筐体の該フランジ対応位置に設けたフックとからなることを特徴とするＩＣカードコネクタ。
【請求項４】
ＩＣカードを案内するガイド部の奥にコネクタ部が配されたコネクタ筐体と、該ガイド部に沿うように該コネクタ筐体に配設されるエジェクト操作ロッド完成体と、該エジェクト操作ロッド完成体の押圧で該ＩＣカードを該コネクタから引き抜くエジェクト機構とを含んでなり、
該エジェクト操作ロッド完成体は、該エジェクト操作ロッド完成体を構成するエジェクト操作ロッドの押圧操作側先端に、該エジェクト操作ロッドに対する直線方向と該ガイド部外側への直角方向との間で回動可能で且つ該エジェクト操作ロッドに対して該直角方向に移動可能なカードロック釦を備え、
該カードロック釦には、該エジェクト操作ロッドに対する回動中心に設けたピン孔と該回動中心から該移動距離離れて位置するピン孔とが該ピン孔径より小さい幅の溝で連結されたスライド孔が、両サイドにスリットを備えて形成され、
該カードロック釦が移動すると、該エジェクト操作ロッドに軸止されたピンが該ピン孔間を移動するように構成されていることを特徴とするＩＣカードコネクタ。
【発明の詳細な説明】
【０００１】
【発明の属する技術分野】
本発明はエジェクト操作ロッド完成体（以下文中では単にロッド完成体とする）からなるエジェクト機構を備えたＩＣカード用のコネクタ（以下カードコネクタとする）の構成に係わり、装着されたＩＣカードの外力による脱落の防止とエジェクト操作性の向上、及び使用中のＩＣカードから発生する熱の放散と回路基板への取付け容易化とを図ったＩＣカードコネクタに関する。
【０００２】
情報技術の分野で使用されるＩＣカードは従来はメモリカードが主流であったが最近ではファクシミリやモデム，ＬＡＮ（Local Area Network) 等の通信用ＩＣカードが増加しつつあり、ＩＣカード使用中に例えばエジェクタ操作ロッドに予期しない外力がかって該エジェクタ操作ロッドが押圧されると該ＩＣカードがカードコネクタから脱落したり信号の遣り取りが中断する等の障害が発生し易くなることから特にその対応策が要求されている。
【０００３】
【従来の技術】
図３１はカードコネクタの基本的構成を説明する図であり、図３２はカードの挿入・抜去時の状態を説明する図、図３３は従来のカードコネクタの一例をロッド完成体と共に説明する図、図３４は図３３におけるエジェクト操作ロッドを説明する図、図３５は図３３におけるロック釦を説明する図、図３６は図３３のカードコネクタとしての作用と効果を説明する図である。
【０００４】
また、図３７は従来の他のカードコネクタを説明する図であり、図３８は図３７のカードロック釦を説明する図であり、図３９は図３７のスライダを説明する図、図４０は図３７のロッド完成体への組立手段を説明する図、図４１は従来の第３のカードコネクタを説明する図である。
【０００５】
図３１で、端面１ａに日本電子工業振興協会（ＪＥＩＤＡ）等によって策定された規格に基づく配置で複数の情報入出力用のジャック端子１１が配設されているＩＣカード１は、例えば該各ジャック端子１１に繋がる回路基板１２にはその両面に図示されない複数のＩＣ等半導体装置が実装され、また該回路基板１２を挟む両面の外側がシールド用の金属板１３でカバーされて構成されているものであり、該２個の金属板１３の間は図示されないリード線やばね等で導通されてなるものである。
【０００６】
また該ＩＣカード１を着脱自在に装着するカードコネクタ２は、上記ＩＣカード１の各ジャック端子１１と対応するそれぞれの位置に該ジャック端子に接続するプラグ端子２１１が植設されたコネクタ部２１ａとその端子列方向両端でプラグ端子突出方向に伸びる脚部２１ｂとからなる平面視“コ”字形のコネクタ筐体２１と、上記脚部外側のコネクタ部近傍の所定領域に長手方向に沿って形成されているガイド溝２１ｃでガイドされて該溝方向に移動し得るエジェクト板２２、上記コネクタ部２１ａの側面（図では上面の所定位置に設けた突起２１ｄを中心として回動できるように該コネクタ筐体２１に装着されたエジェクト板移動レバー２３、およびコネクタ筐体２１の片側脚部の外側で該脚部２１ｂに沿って移動できるように該コネクタ筐体２１に装着されているエジェクト操作ロッド２４とを主要構成部材として構成されているものである。
【０００７】
なお該カードコネクタ２は、上述したプラグ端子２１１の一端側で回路基板２６に実装されるようになっている。
そして、上記脚部２１ｂの内側対向面に形成された溝状のガイド２１ｅに上記ＩＣカード１を嵌入させて所定位置まで挿入することで、それぞれのジャック端子１１と上記プラグ端子２１１とが接続するようになっている。
【０００８】
また上記エジェクト板２２とエジェクト板移動レバー２３とは、該エジェクト板移動レバー２３の上述した回動の中心すなわち上記突起２１ｄの配置位置より先端の自由端側に設けた係合部２３１によって相対的に回動できるように係止されている。
【０００９】
なお、エジェクト板２２にはその所定位置すなわち上述したＩＣカード１の幅方向両端部近傍と対応する位置に裏面（図では下面）側に突出する切り起こし片２２ａが形成されていると共に、上記エジェクト板移動レバー２３の他端は上述したエジェクト操作ロッド２４の一端に設けたすり割り状の係合溝２４ａに嵌入されて回動可能に係止されるようになっている。
【００１０】
そこで、該エジェクト操作ロッド２４を矢印ａ1 の方向に押圧すると該ロッド２４の端部に係止されている上記エジェクト板移動レバー２３が上記突起２１ｄを中心として矢印ａ2 方向に回動するが、該移動レバー２３の自由端側には上述したエジェクト板２２が係止されているので該エジェクト板２２が矢印ａ3 方向に移動する。
【００１１】
従って、該エジェクト板２２に設ける上記切り起こし片２２ａの形成位置を、エジェクト板移動レバー２３が図示位置すなわちエジェクト操作ロッド２４が押圧されていないときの上記コネクタ部２１ａのプラグ端子突出面２１ｆにほぼ合致する位置に合わせておくことで、該エジェクト板移動レバー２３の上記ａ1 方向への押圧によってコネクタ部２１ａで接続されているＩＣカード１をエジェクトすることができる。
【００１２】
かかるエジェクト状態を平面視して説明する図３２で、（３２−１）はＩＣカード１が接続されている状態を示し、また（３２−２）はエジェクト時の状態を示したものである。
【００１３】
図の（３２−１）で、ＩＣカード１はカードコネクタ２に装着されているが、この場合該ＩＣカード１の端面１ａは上記エジェクト板２２の切り起こし片２２ａを介してコネクタ部２１ａの各プラグ端子２１１に接続されている。
【００１４】
そこで上記エジェクト操作ロッド２４を図３１で説明したように矢印ａ1 方向に押圧することで、エジェクト板移動レバー２３がａ2 方向に回動し更にエジェクト板２２がａ3 方向すなわちＩＣカード１をプラグ端子２１１から抜き去る方向に移動するので、（３２−２）に示す如く各プラグ端子２１１と接続状態にあった該ＩＣカード１を該カードコネクタ２から抜き去ってエジェクトすることができる。
【００１５】
また（３２−２）の状態でＩＣカード１を取り除いてから他のＩＣカードを挿入すると、該カードの上述した端面１ａが上記切り起こし片２２ａを押圧してエジェクト板２２をａ′方向に移動せしめるので、エジェクト板移動レバー２３がａ2 ′方向に回動してエジェクト操作ロッド２４を矢印ａ1 ′方向に移動させることから、（３２−１）で示した初期状態に戻すことができる。
【００１６】
かかるＩＣカードコネクタ２では、エジェクト板移動レバー２３のコネクタ筐体２１に対する回動中心位置すなわち突起２１ｄの位置と、エジェクト板２２に対する係止位置すなわち係合部２３１の設定位置とを、ＩＣカードに対応させて適当に設定することで、操作性を落とすことなく如何なるＩＣカードにも対応させられるメリットがある。
【００１７】
しかし、かかるカードコネクタ２では、ＩＣカード１を装着したときに上述したエジェクト操作ロッド２４の押圧操作側先端がＩＣカード非装着時よりも図示“δ”だけ突出することとなり、例えば予期しない外力等が該エジェクト操作ロッド２４の押圧側先端にかかったときには該操作ロッド２４が押されて移動し易い欠点がある。
【００１８】
従来のカードコネクタを説明する図３３でカードコネクタ３は、前記カードコネクタ２におけるエジェクト操作ロッド２４のみを上記欠点を考慮したロッド完成体３１に換えたもの、換言すれば図３１で説明したコネクタ筐体２１と上記ロッド完成体３１とからなるものである。
【００１９】
そしてこの場合のロッド完成体３１は、該完成体のみを抽出して側面視と正面視した（ａ）に示す如く、エジェクト操作ロッド３１１とロック釦３１２を主要構成部材としたものである。
【００２０】
そして、この場合のエジェクト操作ロッド３１１は、全体斜視図（ａ）と側面視図（ｂ）とで表わした図３４に示す如く、前述したエジェクト操作ロッド２４の押圧操作側端部の所定領域に厚さ方向両面からの削り込みで形成されたロック釦係止部３１１ａが追加して形成されていると共に、該係止部３１１ａの所定位置には該係止部を貫通する軸止孔３１１ｂが穿孔されているものである。
【００２１】
一方外形がブロック状をなすロック釦３１２は全体斜視図（ａ）と側断面図（ｂ）とで表わした図３５に示す如く、その内部に上記ロック釦係止部３１１ａを嵌合させるために凹ませて形成したロッド保持部３１２ａが上記軸止孔３１１ｂに対応するピン孔３１２ｂを備えて形成されているものである。
【００２２】
なお上記ロッド保持部３１２ａ形成時に発生する壁３１２ｃに設けられているコーナ部は、上記ピン孔３１２ｂを中心とする円弧３１２ｃ′に形成されている。
【００２３】
そして、上記エジェクト操作ロッド３１１のロック釦係止部３１１ａに該ロック釦３１２の上記ロッド保持部３１２ａを嵌入させた状態で図示されないピンによって両者を係止することで、図３３で説明したように該ロック釦３１２がエジェクト操作ロッド３１１に対する直状方向と直交方向に矢印ｂのように往復回動できるロッド完成体３１が構成できるようになっている。
【００２４】
かかるカードコネクタにおける作用と効果を図３２同様に説明する図３６で、（３６−１）はＩＣカード１が接続されている状態を示し、また（３６−２）はエジェクト時の状態を示したものである。
【００２５】
図の（３６−１）で、ＩＣカード１はカードコネクタ３に装着されているが、該カード１が前記エジェクト板２２の切り起こし片２２ａを介した状態でコネクタ部２１ａに接続されていることは図３２の場合と同様である。
【００２６】
そしてこの時点では、上記ロッド完成体３１のロック釦３１２がエジェクト操作ロッド３１１に対して直交する方向に倒されているので、予期しない外力が該エジェクト操作ロッド３１１に付加されてもその外力はロック釦３１２を介してコネクタ筐体２１に掛かることとなり、結果的にＩＣカード１としてのエジェクトを避けることができる。
【００２７】
一方ＩＣカード１をエジェクトするときには、上述したロック釦３１２を矢印ｂ1 の方向に起こしてエジェクト操作ロッド３１１と直状にした上で、該ロッド完成体３１をｂ2 のように押圧して（３６−２）で示した状態にすることで、図３１で説明した如くエジェクト板２２の移動によって上記ＩＣカード１をエジェクトすることができる。
【００２８】
なお、（３６−２）の状態でＩＣカード１を取り除いてから他のカードを挿入し更に上記ロック釦３１２を倒すことで、（３６−１）で示す初期状態に戻すことができる。
【００２９】
従って、ＩＣカードが装着された状態でエジェクト操作ロッドの領域に予期しない外力が掛かったときでもＩＣカードとしてのエジェクトが抑制できるメリットがある。
【００３０】
挿入されたＩＣカードを直接固定する従来の他のカードコネクタを示した図３７で、（３７−１）はＩＣカード１が挿入されている状態を示し、また（３７−２）はエジェクト時の状態を示したものである。
【００３１】
図の（３７−１）で従来の他のカードコネクタ４は、図３３で説明したカードコネクタ３におけるロッド完成体３１をロッド完成体４１に換えると共に、前述したコネクタ筐体２１を該ロッド完成体４１に対応するように一部変形したコネクタ筐体４２に換えたものであり、その他の構成は上記カードコネクタ３と同じである。
【００３２】
そしてこの場合のロッド完成体４１は、図３４で説明したエジェクト操作ロッド３１１と、該操作ロッド３１１に装着されるカードロック釦４１１と該カードロック釦４１１に装着されるスライダ４１２とを主要構成部材としてなるものである。
【００３３】
そしてスライダ４１２を矢印ｂ1 方向に移動させることで、該スライダ４１２によって接続されているＩＣカード１が固定されるようになっている。
また該（３７−１）の状態で上記カードロック釦４１１をスライダ４１２と共にエジェクト操作ロッド３１１に対して直情化させた上で該操作ロッド３１１を押圧することで、（３７−２）に示す如く上記ＩＣカード１がエジェクトし得るようになっている。
【００３４】
そして外形がブロック状をなすこの場合のカードロック釦４１１は、全体斜視図（ａ）と矢印Ａ1 方向から見た正面図（ｂ）、矢印Ａ2 方向から見た底面図（ｃ）及び側断面図（ｄ）とで表わした図３８に示す如く、図３５で説明したロック釦３１２における各側面下側稜線の長さ方向中央域に、側面４１１ａと下面４１１ｂとから削り込まれた凹部４１１ｃが追加して形成され、更に該凹部４１１ｃの長さ方向中間域には上記側面からの削り込み深さを越えない高さで上記側面方向に突出する線状突起４１１ｄが設けられているものである。
【００３５】
またスライダ４１２は、全体斜視図（ａ）と矢印Ａ1 方向から見た正面図（ｂ）とで表わした図３９に示す如く、正面視が上記カードロック釦４１１を下面４１１ｂを除く三面で取り囲むコ字形で、各側壁４１２ａそれぞれの内面の下端辺近傍の所定位置には該内面から突出するフック４１２ｂが形成されていると共に、天井壁４１２ｃには上記側壁４１２ａの片側端辺４１２ａ′より突出するカード固定片４１２ｄが設けられている。
【００３６】
そして該スライダ４１２を上記カードロック釦４１１に被せるように装着したときに、上述したフック４１２ｂがカードロック釦４１１の凹部４１１ｃに位置するようになっている。
【００３７】
なお、上記天井壁４１２ｃのカード固定片側上面に設けた突起４１２ｅは、スライド操作を容易ならしめるためのものである。
そこで図４０に示す如く、エジェクト操作ロッド３１１のロック釦係止部３１１ａに上記カードロック釦４１１のロッド保持部３１２ａを矢印Ｃ1 のように挿入し、ピン４１３を矢印Ｃ2 のように圧入して両者を回動自在に係止する。
【００３８】
次いで上記スライダ４１２を矢印Ｃ3 のように被せると、スライダ４１２のフック４１２ｂがカードロック釦４１１の凹部４１１ｃに位置した状態で該スライダ４１２をカードロック釦４１１に装着することができる。
【００３９】
そして、上記カードロック釦４１１をエジェクト操作ロッド３１１に直交させた（ａ）の状態で該スライダ４１２を矢印Ｃ4 の如く図面右側に移動させると、上述したカード固定片４１２ｄが実線で示した前記ＩＣカード１の端辺の一部を覆うようになっている。
【００４０】
また、この場合のスライダ４１２はそのフック４１２ｂがカードロック釦４１１の凹部４１１ｃに位置しているため該凹部に沿って移動可能であるが、上記フック４１２ｂが該凹部４１１ｃからカードロック釦４１１の線状突起４１１ｄに乗り上がったときと該線状突起から凹部に落ち込んだときに移動力が変化するので、結果的にスライダ４１２としての操作にクリック感を得ることができる。
【００４１】
従って、スライダのクリック感を伴う移動でＩＣカード１が固定できるエジェクト操作ロッド完成体４１を図３７で説明したように構成することができる。
他方、使用中のＩＣカードから発生する熱を効率良く放散させると共にコネクタとしての大きさを小型化するために、図４１で示す如く、図３１で説明したコネクタ筐体２１をコネクタ完成体５１と金属製のガイドフレーム５２と該ガイドフレーム５２に装着されるロッド完成体５３とで構成したカードコネクタ５が実用化されている。
【００４２】
そしてこの場合のコネクタ完成体５１は、図３１で説明したコネクタ部２１ａに対応するコネクタ本体５１１と、図３１のエジェクト板移動レバー２３と、図３１のエジェクト板２２に対応するエジェクト板５１２とからなるものであり、エジェクト板移動レバー２３の回動によって該エジェクト板５１２が図３１のカードコネクタ２のエジェクト板２２と同様に移動し得るようになっている。
【００４３】
また金属板の折り曲げ成形で形成されるガイドフレーム５２は、図３１で説明した回路基板２６に実装済みの上記コネクタ本体５１１を覆った状態で該回路基板２６に固定されるものであり、図３１で示したガイド２１ｅに対応するガイド５２ａと上記回路基板２６に対する複数の基板取付片５２ｂと上記ロッド完成体５３用のロッド取付片５２ｃとを少なくとも備えている。
【００４４】
更に図３７で示したロッド完成体４１に対応するロッド完成体５３は、前述したカードロック釦４１１とスライダ４１２及び該カードロック釦４１１を回動可能に装着するロック釦保持具５３１と長い板状で一端が前記エジェクト板移動レバー２３に対する係止部に形成され他端が該ロック釦保持具５３１に圧入等の手段で固定し得るようになってエジェクトロッド５３２とからなるものである。
【００４５】
そこで、回路基板に実装されている上記コネクタ完成体５１１を覆うように、上記ガイドフレーム５２を例えばねじ５４とナット５５等で該回路基板に固定し、更に上記ロッド完成体５３をロッド取付片５２ｃの折り曲げ等で該ガイドフレーム５２に装着することで、ロッド完成体５３を備えたカードコネクタ５を図示のように構成することができる。
【００４６】
かかるカードコネクタ５では、ＩＣカードから発生する熱がガイドフレーム５２の表面から放散されると同時にコネクタとしての小型化が実現できるメリットがある。
【００４７】
【発明が解決しようとする課題】
上述したカードコネクタ３ではロック釦の操作がすべてマニュアルで行われるため、ＩＣカードを挿入した直後にロック釦のエジェクト操作ロッドに対する直角化操作を忘れると予期しない外力によってＩＣカードがエジェクトされてしまう場合があると言う問題があり、またＩＣカード抜去時にロック釦のエジェクト操作ロッドに対する直状化操作を忘れるとＩＣカードのエジェクトができない場合があると言う問題があった。
【００４８】
また上述したカードコネクタ４では、スライダの移動時に発生させるクリック感を該スライダ自体の変形によって起こさせているため強度的観点からスライダとしての肉厚を確保しなければならずロッド完成体ひいてはカードコネクタとしての小型化に対応しきれない場合があると言う問題があった。
【００４９】
一方上述したカードコネクタ５では、ガイドフレームと該コネクタ５を覆う装置側壁面との間に隙間があるため確実な放熱効果を実現するのに難点があり例えばＩＣカード使用時の該ＩＣカードからの発熱によってＩＣカード自体の挿抜動作に支障が生ずる場合があると言う問題があり、また回路基板に対する取付片が少なくとも四隅４箇所以上に設けられたＬ形の固定片でなるため該回路基板との間に他の電子デバイスを搭載する等の理由で所定の隙間を設ける必要があるときには特別な手段を講じなければならないと共に回路基板への取付けにもねじとナットを必要とする等のことから多くの工数がかかると言う問題があった。
【００５０】
【課題を解決するための手段】
上記課題は、ＩＣカードを案内するガイド部の奥にコネクタ部が配されたコネクタ筐体と、前記ガイド部に沿うように該コネクタ筐体に配設されるエジェクト操作ロッド完成体と、該エジェクト操作ロッド完成体の押圧で前記ＩＣカードを前記コネクタ部から引き抜きエジェクト機構とを含んでなり、前記エジェクト操作ロッド完成体は、該エジェクト操作ロッド完成体を構成するエジェクト操作ロッドの押圧操作側先端にロック釦を備え、該ロック釦が、前記エジェクト操作ロッドに対する直状方向と前記ガイド部外側への直角方向との間で回動可能で且つ常時該直角方向に向くように弾力付勢されていると共に、該エジェクト操作ロッドに対して該直角方向に往復動可能に構成され、該直角方向に位置する該ロック釦の該ガイド部外側への移動で該ロック釦が固定できるように構成されているＩＣカードコネクタによって解決される。
【００５１】
また、ＩＣカードを案内するガイド部の奥にコネクタ部が配されたコネクタ筐体と、前記ガイド部に沿うように該コネクタ筐体に配設されるエジェクト操作ロッド完成体と、該エジェクト操作ロッド完成体の押圧で前記ＩＣカードを前記コネクタ部から引き抜くエジェクト機構とを含んでなり、前記エジェクト操作ロッド完成体は、該エジェクト操作ロッド完成体を構成するエジェクト操作ロッドの押圧操作側先端に、該エジェクト操作ロッドに対する直状方向と前記ガイド部外側への直角方向との間で回動可能で且つ該エジェクト操作ロッドに対して該直角方向に移動可能なカードロック釦を備え、該カードロック釦には、該エジェクト操作ロッドに対する回動中心に設けたピン孔と該回動中心から該移動距離離れて位置するピン孔とが該ピン孔径より小さい幅の溝で連結されたスライド孔が、両サイドにスリットを備えて形成され、該カードロック釦が移動すると、該エジェクト操作ロッドに軸止されたピンが該ピン孔間を移動するように構成されているＩＣカードコネクタによって解決される。
【００５２】
また、ＩＣカードを案内するガイド部と回路基板に対する基板取付け片とコネクタ取付片とを少なくとも備えた金属板からなるガイドフレームと、前記ガイド部の奥に配されたコネクタ本体と、前記ガイド部に沿うように前記ガイドフレームに装着されるエジェクト操作ロッド完成体と、該エジェクト操作ロッド完成体の押圧で前記ＩＣカードを前記コネクタ本体から引き抜くエジェクト機構とを含んでなり、前記エジェクト操作ロッド完成体は、一端が前記エジェクト機構に繋がる係止部で他端にロック釦保持部が固定されたエジェクトロッドと、前記ロック釦保持部の押圧操作側先端に該ロック釦保持部に対する直状方向と前記ガイド部外側への直角方向との間で回動可能に装着される前記カードロック釦と、該カードロック釦に装着されるスライダとを備え、前記ガイドフレームが、該ガイドフレームと対向して位置する装置筐体壁に接触し得る舌片を備えているＩＣカードコネクタによって解決される。
【００５３】
一般に、ロック釦がエジェクト操作ロッドに対する直角方向または直状方向のいずれかに常時位置するようにロッド完成体を構成すると、ＩＣカード挿抜時のロック釦に対するマニュアル操作を半減することができる。
【００５４】
そこで本願では、カードコネクタにおけるロック釦にばねが内設し得るようにロッド完成体を構成するようにしている。
従って、該ばねによってロック釦がエジェクト操作ロッドに対する直角方向または直状方向のいずれかに付勢されていることからカード挿抜時のマニユアル操作が減らせるカードコネクタを実現することができる。
【００５５】
またスライダの移動時に発生させるクリック感をカードロック釦に設けるばねによって実現し得るようにロッド完成体を構成すると、スライダとしての肉厚を考慮することなく確実なクリック感を得ることができる。
【００５６】
そこで本願では、カードコネクタにおけるカードロック釦にばねを設けてロッド完成体を構成している。
このことは、スライダの移動に伴うクリック感がスライダとしての変形を伴わずに得られることを示している。
【００５７】
従って、スライダ自体の小型化が実現できると同時に確実なクリック感が長期にわたって確保し得るカードコネクタを得ることができる。
更に、ガイドフレームに装置筐体壁と接するパスを設けると放熱の効率化が実現できると共に、回路基板への取付片を雌ねじ付にすると回路基板への取付けの容易化が実現できる。
【００５８】
そこで本願では、ガイドフレームに装置筐体壁に接触し得る舌片を形成することでＩＣカードから発生する熱を放散させると共に、基板取付片の基板取付部を選択された複数回の密着折り返しで形成した上で該基板取付部に雌ねじを形成することで回路基板に対する間隔調整と取付けの容易化とを実現し、更にコネクタ取付片を内側に傾斜させてコネクタ本体に設けた上側凹の斜面と接触させることでコネクタ本体に対するガイドフレームの取付け容易化を実現するようにしている。
【００５９】
従って、放熱効果が良く且つ上記の折り返し回数を変えることでコネクタと回路基板間の隙間が変えられるカードコネクタを得ることができる。
【００６０】
【発明の実施の形態】
図１は本発明になるカードコネクタの一例を説明する図、図２は図１のエジェクト操作ロッドを説明する図、図３は図１のロック釦を説明する図、図４は図１のロッド完成体の組立順序を説明する図、図５は図１のカードコネクタの作用と効果を説明する図である。
【００６１】
図６は本発明になる第２のカードコネクタの一例を説明する図、図７は図６のコネクタ筐体の主要部を説明する図、図８は図６におけるフックを説明する図、図９は図６のエジェクト操作ロッドを説明する図、図１０は図６のロック釦を説明する図、図１１は図６のロッド完成体の組立順序を説明する図、図１２は図１のカードコネクタの作用と効果を説明する図である。
【００６２】
また、図１３は本発明のカード固定用のロッド完成体を説明する図、図１４は図１３のカードロック釦を説明する図、図１５は図１３のカードロック釦に対応するスライダを説明する図、図１６は図１３のロッド完成体の作用・効果を説明する図である。
【００６３】
更に図１７は図１３の他のロッド完成体を説明する図であり、図１８は図１７のエジェクト操作ロッドを説明する図、図１９は図１７のクリックばねを説明する図、図２０は図１７のカードロック釦を説明する図、図２１は図１７のロッド完成体の組立順序を説明する図、図２２は図１７のロッド完成体の作用と効果を説明する図、図２３は第３のロッド完成体を説明する図、図２４は図２３のカードロック釦を説明する図、図２５は図２３のロッド完成体の組立順序を説明する図である。
【００６４】
また図２６はガイドフレームを備えた本発明のカードコネクタを説明する図であり、図２７はガイドフレームの回路基板への取付片を説明する図、図２８は図２７の回路基板への取付け方法を説明する図、図２９はガイドフレームのコネクタ本体への取付片を説明する図、図３０は図２９の取付片によるコネクタ本体への取付状態を説明する図である。
【００６５】
なお図ではいずれも図３１乃至図４１で説明したカードコネクタに適用させる場合を例としているので、図３１乃至図４１と同じ部材や部位には同一の記号を付すと同時に重複する説明についてはそれを省略する。
【００６６】
図１で本発明になるカードコネクタ６は、図３１で説明したコネクタ筐体２１と本発明に係わるロッド完成体６１とで構成されている。
そしてこの場合のロッド完成体６１は、該完成体のみを抽出して側面視と正面視した（ａ）に示す如く、エジェクト操作ロッド６１１とロック釦６１２及び図示されない保持ばね６１３を主要構成部材としたものである。
【００６７】
そしてこの場合のロッド完成体６１は、ロック釦６１２がエジェクト操作ロッド６１１に対する直角方向に常時付勢されているので、ロック釦６１２をマニュアルで破線で示す直状方向に起こしたときでも手を離すことによって自力で初期の直角方向に戻るようになっている。
【００６８】
ここで、エジェクト操作ロッド６１１とロック釦６１２を図２と図３で先に説明する。
全体斜視図（ａ）と一部断面側面図（ｂ）とで示した図２で、エジェクト操作ロッド６１１は、図３４で説明したエジェクト操作ロッド３１１におけるロック釦係止部３１１ａの領域に、軸止孔３１１ｂから離れた方向の端面６１１ａと上面６１１ｂとからそれぞれ軸止孔位置を越える領域までの切り込みで該ロック釦係止部を厚さ方向で二分するスリット溝６１１ｃを形成すると共に、該スリット溝底面６１１ｃ′の最奥部には該底面側に形成されたばね係止穴６１１ｄが追加して形成されているものである。
【００６９】
そして、上記スリット溝６１１ｃの幅“ｄ1 ”は後述する保持ばね６１３の径“ｄ”よりも僅かに大きく形成されていると同時に、上記ばね係止穴６１１ｄの径も上記保持ばね６１３よりも僅かに大きく形成されている。
【００７０】
また、全体斜視図（ａ）と矢印Ａ1 からの正面図（ｂ）と側断面図（ｃ）とで示した図３で、ロック釦６１２は、図３５で説明したロック釦３１２におけるロッド保持部３１２ａの該釦長さ方向の底面３１２ａ′の前記ピン孔３１２ｂとほぼ対応する位置に、上記ばね係止穴６１１ｄと同じ径のばね係止穴６１２ａが追加して形成されているものである。
【００７１】
更に図示しないこの場合の保持ばね６１３は、例えば直径が上記“ｄ”のばね性線材を図４０で説明したピン４１３に対応する径で２〜３回程度巻いた捲回部の両端がほぼ直角方向に延伸するように形成したものである。
【００７２】
そこで図４に示す如く、先ず矢印Ｄ1 のように上記保持ばね６１３の片側端部６１３′を上記エジェクト操作ロッド６１１のばね係止穴６１１ｄに挿入した後、該保持ばね６１３の他方端部６１３″がロック釦６１２の上記ばね係止穴６１２ａに入るように該ロック釦を矢印Ｄ2 の如くエジェクト操作ロッドのロック釦係止部３１１ａに挿入し、ロック釦６１２のピン孔３１２ｂとエジェクト操作ロッド６１１の軸止孔３１１ｂと上記保持ばね６１３の捲回部を貫通するようにピン４１３を矢印Ｄ3 の如く圧入することで、ロッド完成体６１を構成することができる。
【００７３】
従って、該ロッド完成体６１を前述したコネクタ筐体２１に装着することで、所要のロッド完成体６１を備えたカードコネクタ６を図１に示すように構成することができる。
【００７４】
かかるカードコネクタにおける作用と効果を図３２同様に説明する図５で、（５−１）はＩＣカード１が接続されている状態を示し、また（５−２）はエジェクト時の状態を示したものである。
【００７５】
図の（５−１）で、ＩＣカード１はカードコネクタ６に装着されているが、該カード１が前記エジェクト板２２の切り起こし片２２ａを介してコネクタ部２１ａに接続されていることは図３２の場合と同様である。
【００７６】
そしてこの時点では、上記ロッド完成体６１のロック釦６１２が上記保持ばね６１３によってエジェクト操作ロッド６１１に対する直交方向に常時倒されているので、予期しない外力が該エジェクト操作ロッド６１１に付加されてもその外力はロック釦６１２を介してコネクタ筐体２１に掛かることからＩＣカード１としてのエジェクトを避けることができる。
【００７７】
一方ＩＣカード１をエジェクトするときには、上述したロック釦６１２をマニュアルで矢印ｂ1 の方向に起こしたまま該ロッド完成体６１を押圧して（５−２）で示した状態にすることで、図３１で説明したように上記ＩＣカード１をエジェクトすることができる。
【００７８】
なお（５−２）の状態でＩＣカード１を取り除いてから他のカードを挿入すると、該カード１の挿入が終了した時点で上記ロック釦６１２が内設された上記保持ばね６１３によって自動的に矢印ｂ2 方向に倒れて（５−１）で示す初期状態に戻る。
【００７９】
従って、カード挿抜時のマニユアル操作が減らせるメリットがある。
上記カードコネクタ６の他の応用例を説明する図６で、本発明になるカードコネクタ７は、前記コネクタ筐体２１と同様のコネクタ筐体７１と本発明に係わるロッド完成体７２とで構成されている。
そして、エジェクト操作ロッド７２１とロック釦７２２と図示されない保持ばね７２３を主要構成部材としてなるこの場合のロッド完成体７２は、該完成体のみを抽出して側面視と正面視した（ａ）に示す如く、エジェクト操作ロッド７２１に対して矢印ｃ方向に往復動可能であると同時に、図３３の（ａ）同様のｂ方向に往復回動し得るようになっており、更に該ロッド７２１に対して倒した状態で上記コネクタ筐体７１に設けたフック部材７１１に係止されるようになっている。
【００８０】
ここで、上記コネクタ筐体７１を図７と図８で説明すると共に、上記ロッド完成体７２を図９乃至図１１で先に説明する。
図７で本発明に係わるコネクタ筐体７１は、図３１で説明したコネクタ筐体２１と、その脚部２１ｂのエジェクト操作ロッド挿入側近傍に固定するフック部材７１１とからなるものである。
【００８１】
そして全体斜視図（ａ）と平面図（ｂ）とで表わした図８に示す如くこの場合のフック部材７１１は、上記コネクタ筐体２１の脚部外側側壁面への当接面となる取付面７１１ａと該取付面に対する所定位置に該取付面側に突出するフック７１１ｂが少なくとも形成されてなるものである。
【００８２】
そして上記取付面から距離“ｅ1 ”だけ後退して位置する上記フック７１１ｂは、取付面７１１ａのフック側の端辺７１１ａ′から距離“ｅ2 ”だけ離れて位置するように形成されている。
【００８３】
そこで、該フック部材７１１をその取付面７１１ａが上記コネクタ筐体２１の脚部外側側壁面のエジェクト操作ロッド押圧側の端辺に一致するように、図７の矢印Ｅの如く該筐体２１に固定することで、本発明に係わるコネクタ筐体７１を図６で示したように構成することができる。
【００８４】
一方図９の全体斜視図（ａ）と平面図（ｂ）及び一部断面側面図（ｃ）とで示した如く、前述したロッド完成体７２におけるエジェクト操作ロッド７２１は、図２のエジェクト操作ロッド６１１における軸止孔３１１ｂを長円状の軸孔７２１ａに変えると共に、該操作ロッド６１１におけるばね係止穴６１１ｄを該軸孔７２１ａに対応して楕円化させたばね係止穴７２１ｂに変えたものである。
【００８５】
また上記ロッド完成体７２におけるロック釦７２２は、図１０の全体斜視図（ａ）と矢印Ａ1 方向から見た正面図（ｂ）と断面側面図（ｃ）とで表わした如く、図３のロック釦６１２におけるロッド保持部３１２ａに対する反対側の正面壁７２２ａに、該壁面の下端面に沿って該壁面から突出するフランジ７２２ｂを追加して形成したものであり、該フランジ７２２ｂの厚さ“ｅ3 ”は図８で説明したフック部材７１１における取付面７１１ａとフック７１１ｂとの間の隙間“ｅ2 ”に嵌入し得るように形成されているものである。
【００８６】
なお該ロック釦７２２の上面には、図３９で説明したスライダ４１２における突起４１２ｅに対応する波形突起７２２ｃが形成されている。
更に、上記保持ばね６１３同様に図示しないこの場合の保持ばね７２３は、直径が上記保持ばね６１３と同じ径のばね性線材を図４０で説明したピン４１３に対応する径で２〜３回程度巻いた捲回部の両端が互いに逆方向に延伸するように形成したものである。
【００８７】
そこで図１１に示す如く、エジェクト操作ロッド７２１の上記ばね係止穴７２１ｂに先ず上記保持ばね７２３の片側端部７２３′を矢印Ｅ1 のように挿入した後、該保持ばね７２３の他方端部７２３″が上記ロック釦７２２の前記ばね係止穴６１２ａに入るように立てた状態の該ロック釦７２２を矢印Ｅ2 の如くエジェクト操作ロッド７２１のロック釦係止部３１１ａに挿入し、ロック釦７２２のピン孔３１２ｂとエジェクト操作ロッド７２１の軸止孔３１１ｂと上記保持ばね７２３の捲回部を貫通するように矢印Ｅ3 の如くピン４１３を圧入することで、所要のロッド完成体７２を構成することができる。
【００８８】
かかるロッド完成体７２では、ピン４１３を中心としてエジェクト操作ロッド７２１に対して回動するロック釦７２２が保持ばね７２３によって常時立った状態すなわちエジェクト操作ロッド７２１に対する直状方向に付勢された状態にあると共に、倒した状態の該ロック釦７２２をエジェクト操作ロッド７２１の軸孔７２１ａの長手方向に移動させることができる。
【００８９】
従って該ロッド完成体７２を前述したようにコネクタ筐体７１に装着することで、該ロッド完成体７２を備えたカードコネクタ７を図６に示すように構成することができる。
【００９０】
かかるカードコネクタにおける作用と効果を示す図１２で、（１２−１）はＩＣカードの接続状態を、（１２−２）は該カードのエジェクト開始時の状態を、更に（１２−３）は該カードのエジェクト時の状態をそれぞれ示している。
【００９１】
図の（１２−１）で、ＩＣカード１はカードコネクタ７に装着されているが、該カード１が前記エジェクト板２２の切り起こし片２２ａを介してコネクタ部２１ａに接続されていることは図５の場合と同様である。
【００９２】
そしてこの時点では、上記ロッド完成体７２のロック釦７２２は上記保持ばね７２３によってエジェクト操作ロッド７２１に対する直状方向に常時付勢されている。
【００９３】
そこで該ロック釦７２２をマニュアルで矢印ｆ1 の如く倒したまま上記フック部材７１１の方向に移動させると、該ロック釦７２２のフランジ７２２ｂが上記フック部材７１１のフック７１１ｂに掛けられることから、マニュアルを解除しても該ロック釦７２２ひいてはエジェクト操作ロッド７２１を押圧状態のまま保持する（１２−２）の状態にすることができる。
【００９４】
従って予期しない外力が該エジェクト操作ロッド７２１に付加されてもその外力がロック釦７２２を介してコネクタ筐体７１に掛かることからＩＣカード１としてのエジェクトを避けることができる。
【００９５】
一方ＩＣカード１をエジェクトするときには、上述したロック釦７２２をマニュアルで矢印ｆ2 の方向に移動すると、上記フランジ７２２ｂがフック７１１ｂから外れるが、この時点で上記保持ばね７２３の復元力によって自動的にロック釦７２２が（１２−３）で示すように直状化方向に復旧するので、以下図５の場合と同様にＩＣカード１をエジェクトすることができる。
【００９６】
従って、図５で説明したカードコネクタ６と同様に、カード挿抜時のマニユアル操作が減らせるカードコネクタ７を構成することができる。
なお上述したフック部材７１１が装置側本体に付けられている場合には、上記コネクタ筐体７１を図３１で説明したコネクタ筐体２１に換えることで同等の効果が得られることは明らかである。
【００９７】
図１３は、図３７で説明した従来のカードコネクタ４に適用させる本発明になるカード固定用のロッド完成体を側面図（ａ）と正面図（ｂ）で示したものである。
【００９８】
すなわちロッド完成体７３は、図４０で説明したエジェクト操作ロッド３１１と該エジェクト操作ロッド３１１に回動可能に装着されるカードロック釦７３１と該カードロック釦７３１に摺動可能に装着されるスライダ７３２を主要構成部材として構成されているものである。
【００９９】
そしてこの場合のカードロック釦７３１は、図１４の全体斜視図（ａ）と矢印Ａ1 方向から見た正面図（ｂ）と一部断面側面図（ｃ）で示す如く、図３８で説明したカードロック釦４１１におけるロッド保持部３１２ａを壁３１２ｃの厚さ程度を残す位置まで延長したロッド保持部７３１ａに変えた上で、その天井壁の領域にピン固定孔側端辺から切りこまれた２個のスリット７３１ｂによって形成される舌片７３１ｃが先端上側に突出するフック７３１ｄを備えて形成されている。
【０１００】
更に上記カードロック釦４１１における凹部４１１ｃを、線状突起４１１ｄを持たない凹部７３１ｅに変えたものである。
またスライダ７３２は、図１５の全体斜視図（ａ）と矢印Ａ1 方向から見た正面図（ｂ）と断面側面図（ｃ）で示す如く、図３９で説明したスライダ４１２における天井壁４１２ｃのみを、その内面の上記フック７３１ｄと対応する領域に該内面から突出する線状突起７３２ａが設けられた天井壁７３２ｂに変えたものである。
【０１０１】
そして、図４０で説明したように上記カードロック釦７３１に該スライダ７３２を装着して図１３で示したロッド完成体７３を構成したときに、該カードロック釦７３１の上記フック７３１ｄが該スライダ７３２における天井壁７３２ｂのフック４１２ｂ側の内面と接触するようになっている。
【０１０２】
かかるロッド完成体７３としての作用をカードロック釦近傍のみを抽出して説明する図１６で、（１６−１）はロッド完成体構成時の状態を、また（１６−２）はスライダ操作途中の状態を、更に（１６−３）はスライダ操作後の状態をそれぞれ示している。
【０１０３】
すなわち、（１６−１）でカードロック釦７３１のフック７３１ｄはスライダ７３２における天井壁７３２ｂのピン孔側内面７３２ｂ′に位置していると同時に、該スライダ７３２の前述したフック４１２ｂはカードロック釦７３１の上記凹部７３１ｅにおけるピン孔３１２ｂから離れた側の端部に位置している。
【０１０４】
そこで、上記スライダ７３２を矢印ｆ1 のように移動させると、上記フック７３１ｄが上述した線状突起７３２ａに乗り上げて（１６−２）で示す状態になるが、この時点でスライダとしての移動に第１のクリック感を得ることができる。
【０１０５】
更に該スライダ７３２としての移動が継続すると上記フック７３１ｄが線状突起７３２ａから外れて天井壁内面７３２ｂ″に位置するが、この時点でスライダとしての移動に第２のクリック感を得ることができる。
【０１０６】
なおこの時点では該スライダ７３２の上記フック４１２ｃがカードロック釦７３１の上記凹部７３１ｅにおけるピン固定孔側の端部近傍に位置しているので、該スライダ７３２としての移動が間もなく終了して（１６−３）で示す状態になる。
【０１０７】
かかるロッド完成体７３では、スライダ７３２を移動させるときのクリック感がカードロック釦７３１に形成された弾性変移自在な舌片７３１ｃによって得られるのでスライダとしての肉厚を強度的に確保する必要がなく顧客の小型化要請に対応できるので、該ロッド完成体７３を図３７で説明したコネクタ筐体４２に装着することで、長期にわたって安定したクリック感が得られるカードコネクタを構成することができる。
【０１０８】
図１７は、他のカード固定用のロッド完成体を側面図（ａ）と正面図（ｂ）で示したものである。
すなわちロッド完成体７５は、本発明に係わるエジェクト操作ロッド７５１と、該エジェクト操作ロッド７５１に固定されるクリックばね７５２と、該エジェクト操作ロッド７５１に回動可能に装着されるカードロック釦７５３と、図１５で説明したスライダ７３２を主要構成部材として構成されているものである。
【０１０９】
この内エジェクト操作ロッド７５１は、図１８の全体斜視図（ａ）と側面図（ｂ）で示す如く、図３４で説明したエジェクト操作ロッド３１１におけるロック釦係止部３１１ａのみを本発明に係わるロック釦係止部７５１ａに変えたものである。
【０１１０】
すなわち該ロック釦係止部７５１ａは、該係止部に形成されている前述した軸止孔３１１ｂに、該軸止孔から遠い方の端面側に斜めに延びて上面７５１ｂまで達するるスリット７５１ｃを連設すると共に、該スリット７５１ｃによって分割されるロック釦係止部領域の該スリット傾斜側に位置する上面が上記上面７５１ｂより低い凹の段差面７５１ｄに形成されてきる。
【０１１１】
そして、上記スリット７５１ｃの幅“ｔ1 ”は上記軸止孔３１１ｂの径より小さくなっている。
また、ばね性を持つ金属板の打ち抜き成形技術で形成されるこの場合のクリックばね７５２は、図１９の全体斜視図（ａ）と側面図（ｂ）で示す如く、ピン状に曲げ成形された軸部７５２ａと、先端に山状のフック７５２ｂを持つ舌片７５２ｃとが一体成形されてなるものであり、該軸部７５２ａの外径は上記エジェクト操作ロッド７５１の軸止孔３１１ｂに圧入で固定し得るように形成されてなるものである。
【０１１２】
なお上記エジェクト操作ロッド７５１におけるスリット幅“ｔ1 ”は厚さ“ｔ”の該クリックばね７５２が僅かな余裕で挿入し得るように形成されている。
またカードロック釦７５３は、全体斜視図（ａ）と断面視側面図（ｂ）で表わした図２０に示す如く、図３５で説明したロック釦４１１におけるロッド保持部３１２ａを上記カードロック釦７３１と同様に壁３１２ｃの厚さ程度を残す位置まで延長したロッド保持部７５３ａに変えた上で、該ロッド保持部７５３ａ領域での天井壁を総て削除したものである。
【０１１３】
そしてそのピン孔３１２ｂに連設するように、前記エジェクト操作ロッド７５１におけるスリット７５１ｃと等しい幅で同じ角度に傾けたスリット溝７５３ｂを壁７５３ｃの上端辺まで形成したものである。
【０１１４】
そこで図２１の（２１−１）に示す如く、上記エジェクト操作ロッド７５１のロック釦係止部７５１ａに上記カードロック釦７５３のロッド保持部７５３ａを矢印Ｆ1 の如く挿入して仮に位置決め装着することで（２１−２）に示す状態にすることができる。
【０１１５】
その後上記クリックばね７５２を、その舌片７５２ｃが上記カードロック釦７５３のスリット溝７５３ｂとエジェクト操作ロッド７５１のスリット７５１ｃとを順次通過するように、その軸部７５２ａを矢印Ｆ2 の如くカードロック釦７５３のピン孔３１２ｂとエジェクト操作ロッド７５１の軸止孔３１１ｂとに貫通させると、上記クリックばね７５２のフック７５２ｂがカードロック釦７５３の壁７５３ｃ間に突出した（２１−３）に示す状態にすることができる。
【０１１６】
次いで、図１５のスライダ７３２を矢印Ｆ3 の如くカードロック釦７５３に被せて装着することで、所要のロッド完成体７５を構成することができる。
かかるロッド完成体７５では、上記クリックばね７５２が舌片７５２ｃ近傍の軸部７５２ａで該エジェクト操作ロッド７５１に固定されるが、カードロック釦７５３は上記スライダ７３２と共に該軸部７５２ａを中心として回動させることができる。
【０１１７】
この場合のロッド完成体７５としての作用をカードロック釦近傍を抽出して説明する図２２で、（２２−１）はロッド完成体構成時の状態を、また（２２−２）はスライダ操作途中の状態を、（２２−３）はスライダ操作後の状態を、また（２２−４）はカードロック釦をエジェクト操作ロッドに対して直状化させたときの状態をそれぞれ示したものである。
【０１１８】
図の（２２−１）で、エジェクト操作ロッド７５１に固定されたクリックばね７５２のフック７５２ｂは、図１６の場合と同様にスライダ７３２における天井壁内面に接して位置している。
【０１１９】
そこで、上記スライダ７３２を図示ｇ1 の如く移動させると、上記フック７５２ｂが前述した線状突起７３２ａに乗り上げて（２２−２）で示す状態になるので、該スライダとしての移動に第１のクリック感を得ることができる。
【０１２０】
更に該スライダ７３２を移動させると、（２２−３）に示す如く上記フック７５２ｂが線状突起７３２ａから外れて天井壁内面に位置するのでスライダとしての移動に第２のクリック感を得ることができる。
【０１２１】
かかるロッド完成体７５では、スライダ７３２の移動で変移する上記クリックばね７５２の舌片７５２ｃが、当該部分を拡大視して抽出した円内図（ａ）に示す如く、エジェクト操作ロッド７５１における凹の段差面７５１ｄとスリット７５１ｃで形成される稜線７５１ｄ′を支点とすることから、該舌片７５２ｃがばね性を持つ金属板で形成され且つ該支点が先端のフック７５２ｂから離れて位置していることもあって、感触的に優れたクリック感が長期にわたって安定して得られるメリットがある。
【０１２２】
一方（２２−１）の状態で上記カードロック釦７５３をスライダ７３２と共に回動させてエジェクト操作ロッド７５１に対して直状化すると、該エジェクト操作ロッド７５１に固定された上記クリックばね７５２がそのまま残ることから（２２−４）に示す状態となる。
【０１２３】
そしてこの状態ては、クリックばね７５２の舌片７５２ｃ領域がカードロック釦７５３のロッド保持部７５３ａ内に位置することから、予期しない外力による該舌片領域での破損や変形が抑制できるメリットもある。
【０１２４】
従って、該ロッド完成体７５を図３７で説明したコネクタ筐体４２に装着することで、長期にわたって安定したクリック感が得られるカードコネクタを構成することができる。
【０１２５】
更にカード固定用の第３のロッド完成体を側面図（ａ）と正面図（ｂ）で説明する図２３で、ロッド完成体７７は、図３４で説明したエジェクト操作ロッド３１１と、本発明に係わるカードロック釦７７１とを主要構成構材としてなるものである。
【０１２６】
そしてこの場合のカードロック釦７７１は、図２４の全体斜視図（ａ）と矢印Ａ1 方向から見た正面図（ｂ）と断面側面図（ｃ）で示す如く、図３５で説明したロック釦３１２におけるロッド保持部３１２ａを側壁３１２ｃとほぼ同じ厚さを残す位置まで伸ばしたロッド保持部７７１ａに変えた上で、天井壁７７１ｂには側壁７７１ｃの端辺７７１ｃ′から突出するカード固定片７７１ｄが設けられている。
【０１２７】
そして上記側壁７７１ｃには、上記ロック釦３１２におけるピン孔３１２ｂとは別に同じ径のピン孔７７１ｅが側壁底辺７７１ｃ″と平行する所定位置に追加形成され且つ該各ピン孔間がピン孔径より僅かに小さい幅の溝孔７７１ｆ′で連結されてなるスライド孔７７１ｆが、該各溝孔両サイドの近傍に該溝孔と平行するスリット７７１ｇを備えて形成されている。
【０１２８】
なお該カードロック釦７７１の上面所定位置には、図３９で説明したスライダ４１２における突起４１２ｅに対応する突起７７１ｈが形成されている。
そこで図２５に示す如く、上記エジェクト操作ロッド３１１のロック釦係止部３１１ａに該カードロック釦７７１のロッド保持部７７１ａを矢印Ｇ1 のように挿入して位置決めした後、該カードロック釦７７１の２個のピン固定孔に対しては僅かに余裕がありエジェクト操作ロッド３１１の軸止孔に対しては圧入し得るような径に形成されたピン７７２を矢印Ｇ2 の如く挿入することで、該エジェクト操作ロッド３１１に対して回動可能なカードロック釦７７１が備えられたロッド完成体７７を図２３のように構成することができる。
【０１２９】
かかるロッド完成体７７では、カードロック釦７７１をスライドさせると片方のピン孔に位置するピン７７２が上記溝孔７７１ｆ′に移動した時点で該溝孔の側壁がスリット溝７７１ｇ側に変移することから第１のクリック感が得られると共に、ピン７７２が溝孔７７１ｆ′から他方のピン孔に移動した時点で上記側壁の変移が解除されて第２のクリック感を得ることができる。
【０１３０】
従って、該ロッド完成体７７を図３７で説明したコネクタ筐体４２に装着することで、特別なスライダを設けることなく長期にわたって安定したクリック感が得られるカードコネクタを構成することができる。
【０１３１】
他方、図４１で示したガイドフレーム付カードコネクタに対応する本発明のカードコネクタを説明する図２６で、カードコネクタ８は、本発明になるガイドフレーム８１と、図４１のコネクタ本体５１に対応するコネクタ本体８２と、図１３で説明したロッド完成体７３に対応するロッド完成体８３とで構成される。
【０１３２】
そしてこの場合のガイドフレーム８１は、図４１のガイドフレーム５２にその装置との対向面に該装置側に曲げられた舌片８１ａを追加形成した上で、回路基板に対する間隔の自在化と取付けの容易化を実現した基板取付片８１ｂを設けると共にコネクタ本体５１への取付け容易化を実現するためのコネクタ取付片８１ｄを設けたものである。
【０１３３】
この内上記舌片８１ａは図示の如く、図４１のガイドフレーム５２における上面開口窓周辺に追加形成した突出片を装置側すなわち上方に折り曲げて該装置表面に接触させることで、ＩＣカードから発生する熱を装置側に放散させるようになっている。
【０１３４】
また基板取付片８１ｂは、該取付片近傍を斜視して抽出した図２７に示す如く、ガイドフレーム８１からの切り込み長さを例えば破線Ｈ1 で示す“ｌ1 ”や 破線Ｈ2 で示す“ｌ2 ”の如く変えた上でその先端に設ける基板取付部８１ｂ′を複数の折り返しで形成すると同時に、該基板取付け部８１ｂ′に設けるねじ孔を雌ねじ８１ｃにしている。
【０１３５】
このことは、基板への取付け状態を表わした図２８に示す如く、上記の切り込み長さや基板取付け部８１ｂ′での折り返し回数を増減することで回路基板２６に対する間隔“Ｌ”が変えられると共に、回路基板２６に対する取付けも基板した側からのねじ５４のみで該ガイドフレーム８１が基板２６に取り付けられることを意味する。
【０１３６】
従って、回路基板に対する間隔の自在化と取り付けの容易化が実現できるメリットがある。
また上記ガイドフレーム８１におけるコネクタ取付片８１ｄは、該取付片近傍を斜視して抽出した図２９に示す如く、ガイドフレーム８１における上面部からの切り込みで回路基板側を根元とする舌片をその先端が内側に傾くように折り曲げ形成したものである。
【０１３７】
一方上記コネクタ本体８２の該コネクタ取付片対応位置には、図２６に示したように上面側が内側に位置する斜面８２ａが形成されている。
そこで図３０に示す如く、回路基板２６に実装されている上記コネクタ本体８２の上方から上記ガイドフレーム８１を被せると、該ガイドフレーム８１の上記コネクタ取付片８１ｄが該コネクタ本体８２の上記斜面８２ａを押圧して該コネクタ本体を位置決めして固定する。
【０１３８】
従って、該コネクタ本体８２の近傍に図４１で説明した基板取付片５２ｂを設ける必要がなくせることから、上述したように基板取付片５２ｂとしての回路基板への取付けが容易化し得ることとあいまって、ガイドフレーム８１としての取付け工数が減らせるメリットがある。
【０１３９】
更に上記ロッド完成体８３は、図４１で説明したロッド完成体５３におけるカードロック釦４１１とスライダ４１２のみを、図１４で説明したカードロック釦７３１と図１５で説明したスライダ７３２にそれぞれ置き換えたものである。
【０１４０】
かかるロッド完成体８３を備えたカードコネクタ８では、使用中のＩＣカード１から発生する熱を装置側に放散しつつ、スライダひいてはコネクタとしての小型化要請に対応できると言うメリットがある。
【０１４１】
なお上記カードコネクタ８に使用したロッド完成体８３は、そのロック釦保持具５３１を例えば図２のエジェクト操作ロッド６１１に対応させる等、本発明の他のエジェクト操作ロッドに対応させることで、如何なるロッド完成体にも換えられることは明らかである。
【０１４２】
【発明の効果】
上述の如く本発明により、装着されたＩＣカードの外力による脱落の防止とエジェクト操作性の向上、及び使用中のＩＣカードから発生する熱の放散と回路基板への取付け容易化とを実現したＩＣカードコネクタを提供することができる。
【０１４３】
なお本発明の説明では、端子列が１列のＩＣカードに適用するコネクタを例としているが、如何なる端子列のものにも適用し得ることは明らかである。
【図面の簡単な説明】
【図１】  図１は本発明になるカードコネクタの一例を説明する図。
【図２】  図１のエジェクト操作ロッドを説明する図。
【図３】  図１のロック釦を説明する図。
【図４】  図１のロッド完成体の組立順序を説明する図。
【図５】  図１のカードコネクタの作用と効果を説明する図。
【図６】  本発明になる第２のカードコネクタの一例を説明する図。
【図７】  図６のコネクタ筐体の主要部を説明する図。
【図８】  図６におけるフックを説明する図。
【図９】  図６のエジェクト操作ロッドを説明する図。
【図１０】  図６のロック釦を説明する図。
【図１１】  図６のロッド完成体の組立順序を説明する図。
【図１２】  図１のカードコネクタの作用と効果を説明する図。
【図１３】  本発明のカード固定用のロッド完成体を説明する図。
【図１４】  図１３のカードロック釦を説明する図。
【図１５】  図１３のカードロック釦に対応するスライダを説明する図。
【図１６】  図１３のロッド完成体の作用・効果を説明する図。
【図１７】  図１３の他のロッド完成体を説明する図。
【図１８】  図１７のエジェクト操作ロッドを説明する図。
【図１９】  図１７のクリックばねを説明する図。
【図２０】  図１７のカードロック釦を説明する図。
【図２１】  図１７のロッド完成体の組立順序を説明する図。
【図２２】  図１７のロッド完成体の作用と効果を説明する図。
【図２３】  第３のロッド完成体を説明する図。
【図２４】  図２３のカードロック釦を説明する図。
【図２５】  図２３のロッド完成体の組立順序を説明する図。
【図２６】  ガイドフレームを備えた本発明のカードコネクタを説明する図。
【図２７】  ガイドフレームの回路基板への取付片を説明する図。
【図２８】  図２７の回路基板への取付け方法を説明する図。
【図２９】  ガイドフレームのコネクタ本体への取付片を説明する図。
【図３０】  図２９の取付片によるコネクタ本体への取付状態を説明する図。
【図３１】  カードコネクタの基本的構成を説明する図。
【図３２】  カードの挿入・抜去時の状態を説明する図。
【図３３】  従来のカードコネクタの一例をロッド完成体と共に説明する図。
【図３４】  図３３におけるエジェクト操作ロッドを説明する図。
【図３５】  図３３におけるロック釦を説明する図。
【図３６】  図３３のカードコネクタとしての作用と効果を説明する図。
【図３７】  従来の他のカードコネクタを説明する図。
【図３８】  図３７のカードロック釦を説明する図。
【図３９】  図３７のスライダを説明する図。
【図４０】  図３７のロッド完成体への組立手段を説明する図。
【図４１】  従来の第３のカードコネクタを説明する図。
【符号の説明】
６，７，８  カードコネクタ
２１        コネクタ筐体
２１ａ      コネクタ部
２２        エジェクト板
２２ａ      切り起し片
２６        回路基板
６１        エジェクト操作ロッド完成体
７１        コネクタ筐体
７２，７３，７５，７７，８３        エジェクト操作ロッド完成体
８１        ガイドフレーム
８１ａ      舌片
８１ｂ      基板取付片
８１ｂ′    基板取付部
８１ｃ      雌ねじ
８１ｄ      コネクタ取付片
８２        コネクタ本体
８２ａ      斜面
３１１，６１１，７２１，７５１    エジェクト操作ロッド
３１１ａ，７５１ａ                ロック釦係止部
３１１ｂ    軸止孔
３１２ａ，７３１ａ，７５３ａ，７７１ａ    ロッド保持部
３１２ａ′  底面
３１２ｂ，７７１ｅ                ピン孔
４１２ｂ，７１１ｂ                フック
４１３，７７２                    ピン
５３１      ロック釦保持具
５３２      エジェクトロッド
６１１ａ    端面
６１１ｂ    上面
６１１ｃ，７５３ｂ                スリット溝
６１１ｃ′  底面
６１１ｄ，６１２ａ                ばね係止穴
６１２，７２２，７３１            ロック釦
６１３，７２３                    保持ばね
６１３′，７２３′                片側端部
６１３″    他方端部
７１１      フック部材
７１１ａ    取付面
７１１ａ′  端辺
７２１ａ    軸孔
７２１ｂ    ばね係止穴
７２２ａ    正面壁
７２２ｂ    フランジ
７２２ｃ    波形突起
７２３′    片側端部
７３１ｂ，７５１ｃ，７７１ｇ      スリット
７３１ｃ    舌片
７３１ｄ，７５２ｂ                フック
７３１ｅ    凹部
７３２      スライダ
７３２ａ    線状突起（突起）
７３２ｂ    天井壁
７３２ｂ′  ピン孔側内面
７３２ｂ″  天井壁内面
７５１ｂ    上面
７５１ｄ    凹の段差面
７５１ｄ′  稜線
７５２      クリックばね
７５２ａ    軸部
７５２ｃ    舌片
７５３，７７１      カードロック釦
７５３ｃ    壁
７７１ｂ    天井壁
７７１ｃ    側壁
７７１ｃ′  端辺
７７１ｃ″  側壁底辺
７７１ｄ    カード固定片
７７１ｆ    スライド孔
７７１ｆ′  溝孔
７７１ｈ    突起
【図１】
0004002671.tif 000002
【図２】
0004002671.tif 000003
【図３】
0004002671.tif 000004
【図４】
0004002671.tif 000005
【図５】
0004002671.tif 000006
【図６】
0004002671.tif 000007
【図７】
0004002671.tif 000008
【図８】
0004002671.tif 000009
【図９】
0004002671.tif 000010
【図１０】
0004002671.tif 000011
【図１１】
0004002671.tif 000012
【図１２】
0004002671.tif 000013
【図１３】
0004002671.tif 000014
【図１４】
0004002671.tif 000015
【図１５】
0004002671.tif 000016
【図１６】
0004002671.tif 000017
【図１７】
0004002671.tif 000018
【図１８】
0004002671.tif 000019
【図１９】
0004002671.tif 000020
【図２０】
0004002671.tif 000021
【図２１】
0004002671.tif 000022
【図２２】
0004002671.tif 000023
【図２３】
0004002671.tif 000024
【図２４】
0004002671.tif 000025
【図２５】
0004002671.tif 000026
【図２６】
0004002671.tif 000027
【図２７】
0004002671.tif 000028
【図２８】
0004002671.tif 000029
【図２９】
0004002671.tif 000030
【図３０】
0004002671.tif 000031
【図３１】
0004002671.tif 000032
【図３２】
0004002671.tif 000033
【図３３】
0004002671.tif 000034
【図３４】
0004002671.tif 000035
【図３５】
0004002671.tif 000036
【図３６】
0004002671.tif 000037
【図３７】
0004002671.tif 000038
【図３８】
0004002671.tif 000039
【図３９】
0004002671.tif 000040
【図４０】
0004002671.tif 000041
【図４１】
0004002671.tif 000042